(57)【要約】【課題】  ホテルやレストランのバイキング等で使われる業務用の料理盛付ユニットについて、厨房等との通信機能を設けて残量や温度の管理を行うようにする。【解決手段】  料理を収容する料理収容容器と、該料理収容容器を保温する保温手段とを備え、所望料理の料理を所望の温度に保持する業務用の料理盛付ユニットにおいて、上記料理収容容器内の料理の量を検出する料理収容量検出手段と、該料理収容量検出手段によって検出された料理の収容量を厨房側の所定の受信報知手段に送信する送信手段とを設け、厨房側の受信報知手段は、例えば上記料理収容量検出手段によって検出された料理の収容量が、予じめ設定された基準量以下に減少したような時には、所定のアラームを発生して厨房側の料理補充担当者に知らせるようにした。【選択図】    図３
2006075196.tif 000002
【特許請求の範囲】
【請求項１】
料理を収容する料理収容容器と、該料理収容容器を保温する保温手段とを備え、所望の料理を所望の温度に保持する業務用の料理盛付ユニットにおいて、上記料理収容容器内の料理の量を検出する料理収容量検出手段と、該料理収容量検出手段によって検出された料理の収容量を厨房側の所定の受信報知手段に送信する送信手段とを設けたことを特徴とする業務用の料理盛付ユニット。
【請求項２】
厨房側の受信報知手段は、料理収容量検出手段によって検出された料理の収容量が、予じめ設定された基準量以下に減少した時には所定のアラームを発生するように構成されていることを特徴とする請求項１記載の業務用の料理盛付ユニット。
【請求項３】
料理収容量検出手段は、料理収容容器の荷重を検出する重量センサにより構成されていることを特徴とする請求項１又は２記載の業務用の料理盛付ユニット。
【請求項４】
料理を収容する料理収容容器と、該料理収容容器を保温する保温手段とを備え、所望の料理を所望の温度に保持する業務用の料理盛付ユニットにおいて、上記料理収容容器の温度を検出する温度検出手段と、該温度検出手段によって検出された温度を厨房側の所定の受信報知手段に送信する送信手段とを設けたことを特徴とする業務用の料理盛付ユニット。
【請求項５】
厨房側の受信報知手段は、保温手段に通電したにも拘わらず、温度検出手段によって検出された温度が予じめ設定された所定の温度以上に上昇しない時には、その旨を報知するように構成されていることを特徴とする請求項４記載の業務用の料理盛付ユニット。
【請求項６】
温度検出手段は、料理収容容器本体の温度を直接的又は間接的に検出する温度センサにより構成されていることを特徴とする請求項４又は５記載の業務用の料理盛付ユニット。
【請求項７】
温度検出手段は、その検出温度の温度上昇勾配の変化に基いて料理収容容器内の料理の残量を検出する料理残量検出手段としても機能するように構成されていることを特徴とする請求項４，５又は６記載の業務用の料理盛付ユニット。
【請求項８】
厨房側の受信報知手段は、温度検出手段によって検出された温度が、予じめ設定された基準温度よりも高くなった異常加熱時には、所定のアラームを発生するように構成されていることを特徴とする請求項４，５，６又は７記載の業務用の料理盛付ユニット。
【請求項９】
異常加熱時には、料理盛付ユニット側でも所定のアラームを発生するアラーム発生手段を設けたことを特徴とする請求項８記載の業務用の料理盛付ユニット。
【請求項１０】
アラームの発生に対応して所定の措置を講じた場合には、その後所定時間内は、次の異常加熱状態が検出されても、新たなアラームは発生させないように構成されていることを特徴とする請求項８又は９記載の業務用の料理盛付ユニット。
【発明の詳細な説明】
【技術分野】
【０００１】
本発明は、業務用の料理盛付ユニットに関し、さらに詳しくは料理残量や保温温度のコントロールを可能にしてなる業務用の料理盛付ユニットに関するものである。
【背景技術】
【０００２】
従来、例えばホテルやレストランのパーティー会場等では、大きな皿や鍋等に出来上がった料理を盛ってパーティー出席者に提供しており、出来上がった料理の旨みを長時間に亘って持続するために、保温ヒータによる料理保温機能をもった料理盛付ユニットが用いられている（特許文献１参照）。
【０００３】
【特許文献１】特開平８−２１５０７１号公報（明細書第１−５頁、図１）
【発明の開示】
【発明が解決しようとする課題】
【０００４】
ところが、その場合、例えば大皿や鍋等の料理盛付器具が、保温台に適切にセットされていない場合、また適切にセットされていてもヒータ等保温手段の故障や電源回路、制御回路の異常がある場合には、電源スイッチを入れたにも拘わらず、料理盛付器具内の料理の温度を上記所望の温度に保持することができない。
【０００５】
また、料理盛付器具が適切にセットされていても、電源回路や制御回路の異常で、それらの温度が異常に上昇するこということも起こり得る。
【０００６】
また、同様に料理盛付器具が適切にセットされ、電源回路、制御回路等が正常で所望の温度に保持されている場合であっても、食事が始まると、料理盛付器具内の料理は次第に減って行く。したがって、適切なタイミングで必要な量を補充して行くことが必要である。
【０００７】
このような場合、従来は専属のウォッチング担当者を置いて、監視しながら料理の補充を行うようにしていた。そのため、多くの人手を要していた。
【０００８】
また、料理の量が減ったにも拘わらず、保温のための加熱量が同じであると、料理が煮つまったり、焦げついたりして、美味しく保温することかできない。
【０００９】
これらの各々の問題に対して適切な対応を採らないと、料理盛付器具内の料理を適切な量で、所望の温度に保持することができない。
【００１０】
本願発明は、これらの問題を解決するためになされたもので、料理盛付ユニット側と厨房側とを送受信手段を介して接続することによって、必要な情報の自動的なやり取りを可能にし、同問題を解決した業務用の料理盛付ユニットを提供することを目的とするものである。
【課題を解決するための手段】
【００１１】
本願発明は、上記の目的を達成するために、次のような課題解決手段を備えて構成されている。
【００１２】
（１）  第１の課題解決手段
この発明の第１の課題解決手段は、料理を収容する料理収容容器と、該料理収容容器を保温する保温手段とを備え、所望の料理を所望の温度に保持する業務用の料理盛付ユニットにおいて、上記料理収容容器内の料理の量を検出する料理収容量検出手段と、該料理収容量検出手段によって検出された料理の収容量を厨房側の所定の受信報知手段に送信する送信手段とを設けたことを特徴としている。
【００１３】
このような構成によると、料理収容容器内の料理量が所定量の基準量以上に減少したような場合には、それが厨房側の所定の受信報知手段に伝達されて料理を補充するすべき旨が報知される。
【００１４】
それに応じて、厨房の担当者は、該当する料理を適切なタイミングで必要量補充することができる。
【００１５】
（２）  第２の課題解決手段
この発明の第２の課題解決手段は、上記第１の課題解決手段の構成において、厨房側の受信報知手段は、料理収容量検出手段によって検出された料理の収容量が、予じめ設定された基準量以下に減少した時には所定のアラームを発生するように構成されていることを特徴としている。
【００１６】
このような構成によると、料理収容容器内の料理量が所定量の基準量以上に減少したような場合には、それが厨房側の所定の受信報知手段に表示される一方、さらに料理を補充するすべき旨がアラームにより報知される。
【００１７】
その結果、厨房の担当者は、該当する料理を、より適切なタイミングで、より迅速に必要量補充することができる。
【００１８】
（３）  第３の課題解決手段
この発明の第３の課題解決手段は、上記第１又は第２の課題解決手段の構成において、料理収容量検出手段は、料理収容容器の荷重を検出する重量センサにより構成されていることを特徴としている。
【００１９】
このような構成によると、重量センサによって料理収容容器内の料理の量が正確に検出される。
【００２０】
（４）  第４の課題解決手段
この発明の第４の課題解決手段は、料理を収容する料理収容容器と、該料理収容容器を保温する保温手段とを備え、所望の料理を所望の温度に保持する業務用の料理盛付ユニットにおいて、上記料理収容容器の温度を検出する温度検出手段と、該温度検出手段によって検出された温度を厨房側の所定の受信報知手段に送信する送信手段とを設けたことを特徴としている。
【００２１】
このような構成によると、温度検出手段によって検出される料理収容容器の温度が、適宜厨房側の受信報知手段に表示されるようになる。
【００２２】
そして、同受信報知手段に表示される料理収容容器の温度は、厨房側の担当者（例えば厨房調理人、ウエイター、パーティ主催者、管理者等）が監視する。そして、同表示されている温度が、厨房側で適切な目標温度から測定れていると判断すると、厨房側からの逆送信コントロールにより保温温度を適切な値に変更するように指令することも可能となる。
【００２３】
（５）  第５の課題解決手段
この発明の第５の課題解決手段は、上記第４の課題解決手段の構成において、厨房側の受信報知手段は、保温手段に通電したにも拘わらず、温度検出手段によって検出された温度が予じめ設定された所定の温度以上に上昇しない時には、その旨を報知するように構成されていることを特徴としている。
【００２４】
このような構成によると、ヒータ等保温手段の故障による加熱不能状態である旨を、自動的に所定のアラーム装置を作動させて警告報知することができる。
【００２５】
その結果、厨房側の担当者は、料理盛付ユニット各部の点検と修理を行ない、正常な状態に復帰させる。この結果、ユーザーに冷めた料理を提供してしまうミスが確実に防止される。
【００２６】
（６）  第６の課題解決手段
この発明の第６の課題解決手段は、上記第４又は第５の課題解決手段の構成において、温度検出手段は、料理収容容器底部の温度を検出する温度センサにより構成されていることを特徴としている。
【００２７】
このような構成によると、温度センサによって料理収容容器内の料理の温度が正確に検出される。
【００２８】
（７）  第７の課題解決手段
この発明の第７の課題解決手段は、上記第４，第５又は第６の課題解決手段の構成において、温度検出手段は、その検出温度の温度上昇勾配の変化に基いて料理収容容器内の料理の残量を検出する料理残量検出手段としても機能するように構成されていることを特徴としている。
【００２９】
このような構成によると、温度検出手段が、料理収容容器内の料理量の残量を検出する料理残量検出手段として機能することから、上述のような重量センサが不要となり、その分低コストに構成することができる。
【００３０】
（８）  第８の課題解決手段
この発明の第８の課題解決手段は、上記第４，第５，第６又は第７の課題解決手段の構成において、厨房側の受信報知手段は、温度検出手段によって検出された温度が、予じめ設定された基準温度よりも高くなった異常加熱時には、所定のアラームを発生するように構成されていることを特徴としている。
【００３１】
このような構成によると、温度検出手段によって検出された温度が、予じめ設定された基準温度よりも高くなった異常加熱時には、所定のアラームが発生されて確実に厨房側の担当者に報知せしめられ、安全性が確保される。
【００３２】
（９）  第９の課題解決手段
この発明の第９の課題解決手段は、上記第８の課題解決手段の構成において、異常加熱時には、料理盛付ユニット側でも所定のアラームを発生するアラーム発生手段を設けたことを特徴としている。
【００３３】
このような構成によると、料理盛付ユニット側でも異常加熱状態であることが報知されるので、ユーザー（客）が異常加熱状態にある料理盛付ユニットの料理量を取るのを確実に回避することができる。
【００３４】
（１０）  第１０の課題解決手段
この発明の第１０の課題解決手段は、上記第８又は第９の課題解決手段の構成において、アラームの発生に対応して所定の措置を講じた場合には、その後所定時間内は、次の異常加熱状態が検出されても、新たなアラームは発生させないように構成されていることを特徴としている。
【００３５】
このような構成によると、一旦異常加熱状態の修理が完了しても、当該料理盛付ユニットの皿部等の温度が下がるには、所定の時間がかかることから、それを待って新たな監視状態に移行させる。
【発明の効果】
【００３６】
以上の結果、本願発明によると、前述した従来の問題を適切に解決することができる。
【発明を実施するための最良の形態】
【００３７】
（最良の実施の形態１）
先ず図１〜図３は、本願発明の最良の実施の形態１に係る料理盛付ユニットの具体的な構成を示している。
【００３８】
この料理盛付ユニット１０は、全体として矩形筒状の枠台１１と、該枠台１１の全周に設けられる加熱源としてのヒータ３１からなっている。また枠台１１は、上部側矩形筒状の天板１２と、該天板１２の天面部の四隅に垂下して設けられる４本の脚部１３，１３・・とからなり、天板１２には、被加熱容器としての大皿２０嵌合用の矩形開口１４Ａと鍋２０嵌合用の円形開口１４Ｂとが設けられている。また、天板１２の左右両側壁部１２ａ，１２ａの外面には、把手１５，１５が、その縦壁部１５ａ，１ａ側を介してビス１６，１６により取り付けられている。なお１５ｂは、把手１５の把手部である。
【００３９】
前記大皿用の矩形開口１４Ａには、大皿２０が嵌合状態で載置されるようになっている。前記大皿２０は、矩形形状の底の浅い有底筒状の容器であり、本体部２０ａと、該本体部２０ａの側壁部２０ｂの上端側外周に設けられるフランジ部２０ｃ及び蓋２３（蓋板２３ａ、フランジ部２３ｂ、把手２２）とからなり、有底筒状の本体部２０ａを矩形開口１４Ａ内に挿入し、その外周のフランジ部２０ｃを上記天板１２の支持プレート部（矩形開口１４Ａの開口縁部）１２ｃの上面に載せることにより、その全体を天板１２の天面部上に載置するようになっている。
【００４０】
また、前記鍋２４は、円形つぼ状の容器であり、本体部２４ａと、該本体部２４ａの側壁部２４ｂの上端側に連続する状態で設けられる大径部２４ｃと、その下部側の係合部２５及び上部側の蓋２７、蓋２７の把手部２８等とからなり、本体部２４ａを円形の開口１４Ｂ内に挿入し、大径部２４ｃの下部側係合部２５を天板１２の支持プレート部（円形開口１４Ｂの開口縁部）１２ｂの上面に載せることにより、その全体を天板１２の天面部上に載置するようになっている。
【００４１】
なお、この鍋２４の場合は、例えば上記大径部２４ｃの下部側係合部（段部）２５の下方部分にスリーブ状の枠体２６を介して、天板１２の円形の開口１４Ｂに嵌合されるようになっている。図中符号２６ａは同枠体２６の天板１２の支持プレート１２ｂに対応する下縁部、２６ｂは鍋２４の大径部２４ｃの下部側係合部２５を支持する係合縁部である。
【００４２】
また符号３１は、加熱源としてのヒータであり、該ヒータ３１は、大皿嵌合用の開口１４Ａ及び鍋嵌合用の開口１５の内側を包囲するようにして、天板１２の下面側で、かつ大皿２０，鍋２４の側壁部２０ｂ，２４ｂに対向する箇所に設けられている。このヒータ３１は、例えば図示しない複数のヒータ保持部材によって上記天板１２の下面に取り付けられ、所定の温度センサＴＳ1，ＴＳ2によって上記大皿２０，鍋２４それぞれの本体部２０ａ，２４ａの温度を間接的に検出しながら、図示しないマイコン制御ユニット（図３の符号ＭＵを参照）により所定の設定温度になるように通電制御される。
【００４３】
このヒータ３１は、図１に示すように、所定のヒータ保持部材によって露出状態で支持されており、その輻射熱により上記開口１４Ａ、１４Ｂ内に入れられる大皿２０，鍋２４の側壁部２０ｂ，２４ｂを効率良く加熱する。また同側壁部２０ｂ，２４ｂからの輻射熱が、上記所定の温度センサＴＳ1，ＴＳ2の方向に放射されるため、それら各温度センサＴＳ1，ＴＳ2は、上記大皿２０，鍋２４の温度を正確に検出することができる。
【００４４】
次に、その動作について説明する。先ず上記大皿２０，鍋２４内に出来上がった所望の料理を入れ、それぞれ枠台１１の開口１４Ａ、１４Ｂ内に嵌合して載置し、上記ヒータ３１に通電する。すると、ヒータ３１の熱は、大皿２０，鍋２４の本体部２０ａ，２４ａに放射され、これら本体部２０ａ，２４ａ内に収容された料理の温度が、当該料理の種類に応じて予じめ設定されている所望の設定温度になるように、マイコン制御ユニットＭＵ（図３参照）がヒータ３１の発熱量を適切にコントロールして保温する。
【００４５】
ところが、この場合、例えば大皿２０や鍋２４の本体部２０ａ，２４ａが、天板１２の各開口１４Ａ、１４Ｂ内に適切にセットされていない場合、また適切にセットされていてもヒータ３１の切断や電源回路、制御回路の異常がある場合には、電源スイッチを入れたにも拘わらず、大皿２０，鍋２４内の料理の温度を上記所望の温度に保持することができない。
【００４６】
また、大皿２０，鍋２４が適切にセットされていても、電源回路や制御回路の異常で、逆に大皿２０，鍋２４の温度が異常に上昇するこということも起こり得る。
【００４７】
また、同様に大皿２０，鍋２４が適切にセットされ、電源回路、制御回路等が正常で所望の温度に保持されている場合であっても、食事が始まると、大皿２０，鍋２４内の料理は次第に減って行く。したがって、適切なタイミングで必要な量を補充して行くことが必要となる。
【００４８】
このような場合、従来は、ウォッチング担当者を置いて、状況を監視しながら料理の補充を行うようにしていた。そのため、多くの人手を要していた。
【００４９】
また、料理の量が減ったにも拘わらず、保温のための加熱量が同じであると、料理が煮つまったり、焦げついたりして、美味しく保温することかできない。
【００５０】
これらの各々の問題に対して適切な対応を採らないと、大皿２０，鍋２４内の料理を適切な量で、所望の温度に保持することができない。
【００５１】
そこで、本実施の形態では、これらの問題に対して、次のような対応策を採用している。
【００５２】
（１）  料理の量に応じた適切な加熱量制御について
すなわち、図１および図２に示すように本実施の形態では、上記天板１２の支持プレート部１２ｂ，１２ｃ上部には、それぞれ重量センサＷＳ1，ＷＳ2が設けられており、大皿２０のフランジ部２０ｃ、鍋２４の大径部２４ｃの下部側係合部２５を介して大皿２０、鍋２４の荷重が適正に負荷されるようになっている。
【００５３】
なお、この場合、前述のように、上記鍋２４の場合は、上記大径部２４ｃの下部側係合部（段部）２５の下方部分に枠体２６を介して、天板１２の開口１４Ｂに嵌合されるようになっている。
【００５４】
したがって、天板１２の支持プレート部１２ｂの重量センサＷＳ2には、同枠体２６を介して、その重量が作用せしめられる。
【００５５】
したがって、大皿２０、鍋２４内の料理の量の減少は、それら重量センサＷＳ1，ＷＳ1の検出値の低下から容易に判断することができる。
【００５６】
そこで、そのように重量センサＷＳ1，ＷＳ2の検出値が低下すると、マイコン制御ユニットＭＵは、その低下量に応じて上記ヒータ３１の発熱量を低減して少しづつ保温温度を下げ、煮つまりや焦げ付きの発生を抑制する。
【００５７】
また同料理盛付ユニット１０側の重量センサＷＳ1，ＷＳ2による検出値、それに応じた温度センサＴＳ1，ＴＳ2による保温温度の検出値は、例えば図３に示すようにパーティー会場Ａ側の送受信ユニット５を介して有線又は無線方式で同じ施設内の厨房Ｂ側の送受信ユニット６に送信され、受信報知手段としての所定のモニター装置７に時々刻々に表示される。このモニター装置７には、それ自体として画像、文字等による各種の情報表示が可能なモニター機能が設けられている一方、さらに別途音声ガイド装置８および音声報知および発光報知機能を備えたアラーム装置９Ａが併設されており、各々状況に応じて適切に作動される。
【００５８】
モニター装置７に表示される各種の情報は、厨房側の担当者（例えば厨房調理人、ウエイター、パーティ主催者、管理者等）が監視する。そして、同表示されている温度が、厨房Ｂ側で適切な温度から外れていると判断すると、厨房Ｂ側の操作部７ａからの逆送信コントロールによってヒータ３１への通電量を可変制御して大皿２０、鍋２４の温度を、それぞれ適切な値に調節する。
【００５９】
また、その料理量が所定の基準量以下に減少したような場合には、それが大皿２０、鍋２４の何れであるかが分かる状態で同モニター装置７に表示されるとともに、音声ガイド８によって料理を補充するすべき旨が報知される。
【００６０】
それに応じて、厨房Ｂの担当者は、該当する料理を必要量補充し、マイコン制御ユニットＭＵは、同補充後の全量を重量センサＷＳ1，ＷＳ2で検知し、同検知量に応じて所望の温度を実現するようにヒータ３１の発熱量（出力）をコントロールする。
【００６１】
（２）  大皿２０、鍋２４のミスセット状態の検知について
大皿２０や鍋２４が、上記天板１２の開口１４Ａ、１４Ｂ部分に適切にセットされていないと、ヒータ３１に通電したとしても、適切な加熱が行われず、それらの中の料理を上述した所望の温度に加熱することは困難である。
【００６２】
また、ヒータ３１が切断されていたり、電源回路や制御回路が故障しているような場合には、全く加熱がなされない。
【００６３】
これらの場合には、何れの場合にも、ヒータ３１への電源スイッチをＯＮにしても前記大皿２０，鍋２４の各々に対向して設けられている温度センサＴＳ1，ＴＳ2により検出される温度値の上昇がなくなり、必要な基準温度以上まで本体２０ａ，２４ａの温度が上昇しない。
【００６４】
そこで、このような場合、図３の料理盛付ユニット１０側の送受信ユニット５は、同ヒータ３１等の故障による加熱不能状態である旨を併設のアラーム装置９Ｂを作動させて会場の客に警告報知するとともに、厨房Ｂ側の送受信ユニット６に送信し、上記モニター装置７を介して同様のアラーム装置９Ａを作動させる。
【００６５】
その結果、厨房Ｂ側の担当者は、料理盛付ユニット１０各部の点検と修理を行ない、正常な状態に復帰させる。この結果、会場Ａのユーザーに冷めた料理を提供してしまうミスが確実に防止される。
【００６６】
（３）  大皿２０、鍋２４の異常加熱状態の検知について
他方、上記大皿２０や鍋２４が、上記天板１２の開口１４Ａ，１４Ｂ部分に適切にセットされていたとしても、制御回路の異常等でヒータ３１の発熱量が異常に大きくなるケースも生じ得る。そのような時もやはり適切な加熱が行われず、それらの中の料理を上述した所望の温度に加熱することは困難である。
【００６７】
このような場合には、前記大皿２０，鍋２４の各々に対向して設けられている温度センサＴＳ1，ＴＳ2により検出される温度値が異常に上昇し、所定の基準温度を超えて本体２０ａ，２４ａの温度が上昇し、料理が焦げ付いてしまう。
【００６８】
そこで、このような場合、図３の料理盛付ユニット１０側の送受信ユニット５は、同制御回路等の故障による異常加熱状態である旨を併設のアラーム装置９Ｂを作動させて警告報知するとともに、厨房Ｂ側の送受信ユニット６に送信し、モニター装置７を介して上述のアラーム装置９Ａを作動させる。
【００６９】
その結果、厨房Ｂ側の担当者は、速やかに料理盛付ユニット１０各部の点検と修理を行ない、正常な状態に復帰させる。この結果、会場Ａのユーザーに焦げ付いた料理を提供してしまうミスが確実に防止される。
【００７０】
なお、このようにアラームの発生に対応して所定の修理措置を講じた場合には、その後所定時間内に、次の同様な異常加熱状態が検出されたとしても、新たなアラームは発生させないように構成する。
【００７１】
これは、本体部２０ａ，２４ａの温度が低下するまで、ある程度の時間が必要であり、その低下を待つためである。また、同様にヒータ３１への通電開始後所定時間の間は、異常を検知しても送信を行わないようにする。
【００７２】
（最良の実施の形態２）
次に図４は、本願発明の最良の実施の形態２に係る料理盛付ユニットの構成を示している。
【００７３】
この実施の形態は、例えば上述の最良の実施の形態１の料理盛付ユニット１０の構成において、さらに上記枠台１１の脚部１３，１３・・下方に第２のヒータ３１ｂを配設し、図示仮想線で示すような底の深い一層大型の深皿４０をも掛けられるようにしたことを特徴とするものである。
【００７４】
このような深皿４０の場合、もちろん天板１２の開口部も開口径の大きなものに交換される。
【００７５】
このような深皿４０を上記大皿２０，鍋２４の代わりに使用するようにした場合にも、上記重量センサＷＳ1，ＷＳ2、温度センサＴＳ1，ＴＳ2、図３の厨房Ｂとパ々ティー会場Ａとの間の情報送受信システムを採用して、上記最良の実施の形態１と全く同様の目的を達成することができる。
【００７６】
そして、その場合、例えば上記上方側第１のヒータ３１ａ、下方側第２のヒータ３１ｂは、相互に同時にＯＮの状態又は上方側第１のヒータ３１ａがＯＦＦで下方側第２のヒータ３１ｂのみがＯＮの状態に、任意に切り換えることができるようになっている。
【００７７】
したがって、例えば料理が充満している盛付初期状態では、第１，第２のヒータ３１ａ，３１ｂを共にＯＮにして深皿４０の全体を加熱加温するが、料理が減ってくると上方側第１のヒータ３１ａをＯＦＦにして下方側第２のヒータ３１ｂのみで、深皿４０の下部のみを加熱加温することによって、電気代の節約と少量となった料理の加熱しすぎを防止する。
【００７８】
（変形例）
なお、上記下方側第２のヒータ３１ｂは、例えば同じ図５中の下方に示すように、それぞれ左右の脚部１３，１３、１３，１３間に設けた横棒を介して架設したヒータ支持パネル２上に平板構造の第２のヒータ３２を設ける構成に変更してもよい。
【００７９】
このような構成の方が、底面が深くて、広い当該深皿４０全体への加熱効率が良くなる。
【００８０】
（最良の実施の形態３）
次に図５は、本願発明の最良の実施の形態３に係る料理盛付ユニットの温度検出部の構成を示している。
【００８１】
この最良の実施の形態３のものでは、上述の最良の実施の形態２の料理盛付ユニット１０の深皿４０の構成における例えば放射温度検出型の温度センサＴＳ1，ＴＳ2を、図５に示すような伝熱感知型の接触式温度センサに変更したことを特徴とするものである。
【００８２】
その他の構成は、全く同様である。
【００８３】
この実施の形態の構成の場合、天板１２の深皿支持プレート部１２ｂの一部を深皿４０の本体部４０ａのフランジ部４０ｃ部分から側壁部４０ｂに沿って下方に折り曲げ、同折り曲げ部に形成した穴４２内に温度センサＴＳ1（ＴＳ2）の棒状の感熱部４３ａを遊嵌させ、そのベース部４３ｂを支持プレート４４、取付ブラケット４５を介して上記折り曲げ部の背面側に固定して取り付けている。そして、同状態において、上記感熱部４３ａは、深皿４０の本体部側壁４０ｂ面に当接するように付勢スプリングを介してベース部４３ｂに支持されている。
【００８４】
このような構成によると、感熱部４３ａが付勢スプリングで深皿４０側に所定寸法突出するようになっているので、使用する深皿４０の大きさ、形状に関係なく適正に温度を検出できるとともに、接触している分だけ、温度の検出精度も高い。
【００８５】
（最良の実施の形態４）
なお、以上の各最良の実施の形態では、その何れの場合にも料理の残量を検出するのに、皿、鍋の各々専用の重量センサＷＳ1，ＷＳ2を設けるようにした。
【００８６】
しかし、このような方法以外にも、例えば上述の温度センサＴＳ1，ＴＳ2を使用して残量を検出するように構成することもできる。
【００８７】
すなわち、温度センサＴＳ1，ＴＳ2は、その検出温度の温度上昇勾配が重量によって変わる。したがって、同温度上昇勾配の変化又は単位時間当りのヒータ３１のＯＮ／ＯＦＦ回数等に基いて、料理収容容器内の料理の残量を検出する料理残量検出手段として使用するようにしてもよい。
【図面の簡単な説明】
【００８８】
【図１】本願発明の最良の実施の形態１に係る料理盛付ユニットの全体的な構成を示す断面図である。
【図２】同ユニットの要部の構成を示す拡大断面図である。
【図３】同ユニットの厨房との間の情報送受信システムの構成を示すブロック図である。
【図４】本願発明の最良の実施の形態２に係る料理盛付ユニットの全体的な構成を示す断面図である。
【図５】本願発明の最良の実施の形態３に係る料理盛付ユニットの要部の構成を示す断面図である。
【符号の説明】
【００８９】
５，６は送受信ユニット、７はモニター装置、９Ａ，９Ｂはアラーム装置、１０は料理盛付ユニット、１１は枠台、１２は天板、１３は脚部、２０は大皿、２４は鍋、３１，３１ａ，３１ｂはヒータ、ＷＳ1，ＷＳ2は重量センサ、ＴＳ1，ＴＳ2は温度センサである。
【図１】
2006075196.tif 000003
【図２】
2006075196.tif 000004
【図３】
2006075196.tif 000005
【図４】
2006075196.tif 000006
【図５】
2006075196.tif 000007